(57)【要約】【課題】  野縁と野縁受けとを結合するクリップにおいて、結合作業を容易にする。【解決手段】  建築構造体に支持された野縁受け４の下方に、底壁部８と、底壁部の両側縁から上方に直角に立ち上がった一対の側壁部９と、両側壁部の上端から互いに近接する方向に張り出した一対のリップ部１３とを備えた野縁３を、野縁受けと直交するように取り付けるためのクリップ１であって、野縁受けの上部を野縁受けの幅方向に跨ぐ頭部２１と、頭部の野縁受けの幅方向における両端から野縁受けを挟むように直線状かつ互いに平行に垂下し、それぞれの下端部が野縁のリップ部間を通過して野縁の内方に突入する一対の脚部２２と、両脚部の下端部に突設され、リップ部を係止する第１係止爪２３と、脚部に突設され、野縁受けに引っ掛かり、野縁受けに対する脚部の上方への移動を阻止する第２係止爪２４とを有するようにした。【選択図】    図２
2013155510.tif 000002
【特許請求の範囲】
【請求項１】
建築構造体に支持された野縁受けの下方に、底壁部と、前記底壁部の両側縁から上方に直角に立ち上がった一対の側壁部と、前記両側壁部の上端から互いに近接する方向に張り出した一対のリップ部とを備えた野縁を、前記野縁受けと直交するように取り付けるためのクリップであって、
前記野縁受けの上部を前記野縁受けの幅方向に跨ぐ頭部と、
前記頭部の前記野縁受けの幅方向における両端から前記野縁受けを挟むように直線状かつ互いに平行に垂下し、それぞれの下端部が前記野縁の前記リップ部間を通過して前記野縁の内方に突入する一対の脚部と、
前記両脚部の前記下端部に突設され、前記リップ部を係止する第１係止爪と、
前記脚部に突設され、前記野縁受けに引っ掛かり、前記野縁受けに対する前記脚部の上方への移動を阻止する第２係止爪と
を有することを特徴とするクリップ。
【請求項２】
前記第２係止爪は、前記両脚部の互いに対向する部分のそれぞれに設けられていることを特徴とする請求項１に記載のクリップ。
【請求項３】
前記第２係止爪は、弾性変形することによって、前記野縁受けの幅方向に進退可能であり、前記野縁受けの下面に引っ掛かることを特徴とする請求項１又は請求項２に記載のクリップ。
【発明の詳細な説明】
【技術分野】
【０００１】
本発明は、野縁受けに野縁を結合するクリップに関する。
【背景技術】
【０００２】
鉄筋コンクリート造の建築構造物において、コンクリート等からなる天井にアンカーボルトによって複数の野縁受けを吊り下げ、野縁受けの下方に直角に延びる複数の野縁を結合し、野縁に内装材としての天井パネルを結合したものがある。野縁受けは、断面コ字状のチャンネル材が使用されることがある。野縁は、底壁部と、底壁部の両側縁から上方へと立ち起こされた一対の側壁部と、側壁部の上縁から互いに近接する方向に延出したリップ部とを有し、リップ部の先端が底壁部側に屈曲し、リップ部の底壁部側にリップ溝を形成しているものがある。このような天井構造体において、野縁受けに野縁を結合するために、金属製のクリップが使用されることがある（例えば、特許文献１）。
【０００３】
特許文献１に係るクリップは、野縁受けに上方から跨ぐように嵌合する野縁受け嵌合部と、野縁受け嵌合部の両側部から下方へと延び、野縁と結合する野縁係合部とを有している。野縁受け嵌合部は、上面部と上面部の両側縁から下方に延びる一対の側面部とを有して断面コ字状に形成され、野縁受けの上部に嵌合する。野縁係合部は、野縁受け嵌合部の各側面部の下縁から互いに離間するように開脚して斜め下方に延びる一対の脚面部と、各脚面部の下端両側部から側方かつ斜め上方に張り出した係合突起片とを有している。野縁係合部が野縁と係合する際には、脚面部及び係合突起片が弾性変形すると共に、野縁の両リップ部及び側壁部が弾性変形によって拡開し、係合突起片がリップ部間を通過して野縁の内方へと突入する。そして、脚面部の復元力によって係合突起片が上方へと移動して係合突起片がリップ溝に突入して引っ掛かり、結合構造が完成する。
【先行技術文献】
【特許文献】
【０００４】
【特許文献１】特開２０１０−２２９７８５号公報
【発明の概要】
【発明が解決しようとする課題】
【０００５】
特許文献１に係るクリップは、野縁受け嵌合部に野縁受けを嵌合し、野縁係合部に野縁を結合するときに、係合突起片を野縁のリップ部間に通過させるべく、比較的大きな荷重を加えてクリップを野縁に押し込まなければならない。その際に、野縁受け嵌合部と野縁受けとの嵌合状態を維持するために、作業者はクリップと野縁受けとを互いに固定しておかなければならない。そのため、クリップによる野縁と野縁受けとの結合作業性が悪いという問題がある。
【０００６】
本発明は、以上の問題を鑑みてなされたものであって、野縁と野縁受けとを結合するクリップにおいて、結合作業を容易にすることを課題とする。
【課題を解決するための手段】
【０００７】
上記課題を解決するために、本発明は、建築構造体に支持された野縁受け（４）の下方に、底壁部（８）と、前記底壁部の両側縁から上方に直角に立ち上がった一対の側壁部（９）と、前記両側壁部の上端から互いに近接する方向に張り出した一対のリップ部（１３）とを備えた野縁（３）を、前記野縁受けと直交するように取り付けるためのクリップ（１）であって、前記野縁受けの上部を前記野縁受けの幅方向に跨ぐ頭部（２１）と、前記頭部の前記野縁受けの幅方向における両端から前記野縁受けを挟むように直線状かつ互いに平行に垂下し、それぞれの下端部が前記野縁の前記リップ部間を通過して前記野縁の内方に突入する一対の脚部（２２）と、前記両脚部の前記下端部に突設され、前記リップ部を係止する第１係止爪（２３）と、前記脚部に突設され、前記野縁受けに引っ掛かり、前記野縁受けに対する前記脚部の上方への移動を阻止する第２係止爪（２４）とを有することを特徴とする。
【０００８】
この構成によれば、第２係止爪が野縁受けに引っ掛かることによって、クリップの野縁受けに対する上方への移動が阻止される。すなわち、クリップと野縁受けとが結合し、クリップが野縁受けに対して位置が固定される。そのため、クリップと野縁とを結合する際に、クリップが野縁受けから脱落することがなく、クリップに野縁を結合させ易くなる。
【０００９】
本発明の他の側面は、前記第２係止爪は、前記両脚部の互いに対向する部分のそれぞれに設けられていることを特徴とする。
【００１０】
この構成によれば、第２係止爪が野縁受けを確実に係止することができる。
【００１１】
本発明の他の側面は、前記第２係止爪は、弾性変形することによって、前記野縁受けの幅方向に進退可能であり、前記野縁受けの下面に引っ掛かることを特徴とする。
【００１２】
この構成によれば、第２係止爪と野縁受けとの結合が容易になる。
【発明の効果】
【００１３】
以上の構成によれば、野縁と野縁受けとを結合するクリップにおいて、結合作業を容易にすることができる。
【図面の簡単な説明】
【００１４】
【図１】クリップによる野縁と野縁受けとの結合構造を示す斜視図
【図２】クリップの斜視図
【図３】クリップと野縁受けとの結合構造を示す右側面図
【図４】クリップによる野縁と野縁受けとの結合構造を一部破断して示す後側面図
【発明を実施するための形態】
【００１５】
以下、図面を参照して、本発明に係る野縁受けと野縁とを結合するクリップを各種実施形態を詳細に説明する。以下の説明では、図１に示す座標軸に基づいて各方位を定める。
【００１６】
図１に示すように、クリップ１は、野縁３と野縁受け４とを結合するために使用されるものである。野縁３及び野縁受け４は、例えば亜鉛めっき鋼板やアルミ板から形成された長尺部材である。野縁受け４は、断面形状において、上下方向に延びる縦壁部５と、縦壁部５の上端縁及び下端縁から縦壁部５に対して直角かつ同じ方向（後方）に突出する上壁部６及び下壁部７とを有し、溝形を呈する。野縁３は、断面形状において、左右方向に延びる底壁部８と、底壁部８の両端から底壁部８に対して直角かつ同じ方向（上方）に突出する一対の側壁部９と、一対の側壁部９の各上端から互いに近接する方向に突出した一対のリップ部１３とを有している。リップ部１３の先端は、底壁部８側に直角に折り曲げられている。これにより、リップ部１３の底壁部８側を向く部分には、底壁部８と相反する側（上方）に窪んだリップ溝１４が形成されている。
【００１７】
野縁受け４は、コンクリートや鉄骨等から形成された建築構造体の天井又は梁に一端が結合されたアンカーボルト１６の他端に結合された野縁受けホルダ１７に支持されている。野縁受けホルダ１７は、一端においてアンカーボルト１６に締結され、他端に野縁受け４を下方から包み込み、支持するフック部を備えている。アンカーボルト１６及び野縁受けホルダ１７は、１つの野縁受け４に対して複数設けられ、野縁受け４を適所で支持している。野縁受け４は、複数設けられ、それぞれが１つの水平面上に配置され、左右方向に延在している。
【００１８】
野縁３は、複数設けられ、野縁受け４の下方において、それぞれが１つの水平面上に配置され、前後方向に延在している。すなわち、野縁３は、野縁受け４に対して直交するように配置され、上方から見て野縁受け４と共に格子形状を形成している。野縁３は、上方から見て野縁受け４と交差する箇所において、クリップ１によって野縁受け４に結合されている。
【００１９】
クリップ１は、樹脂を射出成形により成形したものであり、樹脂は例えばポリアセタールといった熱可塑性樹脂であってよい。図２〜図４に示すように、クリップ１は、野縁受け４の上部を野縁受け４の幅方向（前後方向）に跨ぐ頭部２１と、頭部２１の前後端から野縁受け４を挟むように垂下した一対の脚部２２と、脚部２２の下端部に設けられ、野縁３を係止する第１係止爪２３と、脚部２２の下端部に設けられ、野縁受け２を係止する第２係止爪２４とを有している。頭部２１及び脚部２２の適所には、肉抜き部２５が形成されている。肉抜き部２５は、任意に配置してよく、場合によっては設けなくてもよい。
【００２０】
頭部２１は、四角柱状に形成され、前後方向に延在している。頭部２１の左右側面には、左方又は右方に突出した突片２６が複数形成されている。突片２６は、野縁受け４の上壁部６の上面に当接することによって、クリップ１の野縁受け４に対する左右方向への倒れ（傾斜）を抑制する。
【００２１】
頭部２１の前後方向における両端部のそれぞれからは、前後一対の脚部２２が頭部２１に対して直角に下方へと延出している。一対の脚部２２は、それぞれ軸線が上下方向に延在する四角柱状に形成され、互いに平行となるように、直線的に下方へと延在している。
【００２２】
各脚部２２の左右側面のそれぞれの下端部には、第１係止爪２３がそれぞれ突設されている。各第１係止爪２３は、同一の形状及び大きさに形成されている。前側の脚部２２の右側面に形成された第１係止爪２３を代表して説明すると、第１係止爪２３は、脚部２２の右側面の下端部から右方かつ上方へと斜めに延びた後、屈曲して上方へと延びる片持ち片３１を有している。片持ち片３１は、前後方向に所定の幅を有する一方、左右方向に厚みが薄い板片状をなし、弾性変形によって左右方向に傾動（湾曲）可能となっている。すなわち、片持ち片３１の先端は左右方向に進退可能となっている。片持ち片３１の右側面には、右方へと突出した爪部３２が形成されている。爪部３２は、その上部に上方かつ右方を向く傾斜面である係止面３３を有している。爪部３２の下部は、片持ち片３１の右側面と連続した面を形成している。
【００２３】
両脚部２２の互いに対向する側面のそれぞれの下部には、脚部２２内に形成された肉抜き部２５に連通する開口３５が互いに対向するように形成されている。各開口３５の下縁には、開口３５内を上方へと延びる片持ち片３６が突設されている。各片持ち片３６は、左右方向に所定の幅を有する一方、前後方向における厚みが薄い板片状をなし、弾性変形によって前後方向に傾動（湾曲）可能となっている。すなわち、片持ち片３６の先端は、前後方向に進退可能となっている。両片持ち片３６の互いに対向する側面には、爪部３７が互いに近接する方向（前後方向）に突設されている。各爪部３７は、上方へと進むにつれて互いに近接する方向へと進む傾斜面３８と、傾斜面３８の上縁に連続し、上方へと進むにつれて互いに離間する方向へと進むように傾斜した係止面３９とを有している。なお、他の実施形態では、係止面３９は上方を向いた平面であってもよい。片持ち片３６と爪部３７とを合わせて第２係止爪２４という。第２係止爪２４に荷重が加わっていないときの初期位置において、係止面３９の突出端縁は脚部２２の側面よりも外方に突出している。第２係止爪２４の係止面３９は、第１係止爪２３の係止面３３よりも上方となる位置に配置されている。
【００２４】
次に、クリップ１を用いて野縁受け４及び野縁３を互いに結合する手順及びその結合構造について説明する。最初に、野縁受け４の上方にクリップ１を配置し、一対の脚部２２間に野縁受け４を受容するように、クリップ１を野縁受け４に対して下方へと移動させる。このとき、野縁受け４は第２係止爪２４の傾斜面３８に当接し、第２係止爪２４を前後方向に押し広げながら一対の脚部２２間を上方へと移動する。図３に示すように、野縁受け４の上壁部６が頭部２１の下面に当接した状態で、クリップ１と野縁受け４との結合が完了する。この状態では、野縁受け４が第２係止爪２４の爪部３７よりも上方に位置し、第２係止爪２４が復元力によって初期位置に復帰し、第２係止爪２４の係止面３９が野縁受け４の下壁部７の下方に配置される。これにより、第２係止爪２４の係止面３９が野縁受け４の下壁部７に引っ掛かり、クリップ１は野縁受け４に対して上方へ移動できなくなる。また、一対の脚部２２で前後方向から野縁受け４を挟むため、クリップ１は野縁受け４に対して前後方向へも移動できなくなる。クリップ１と野縁受け４とが結合した状態で、第１係止爪２３の爪部３２は、野縁受け４の下壁部７よりも下方に位置するように形成されている。
【００２５】
クリップ１が野縁受け４に結合された状態で、クリップ１に下方から野縁３が組み付けられる。野縁３は、上方から見て野縁受け４に直交し、かつ一対のリップ部１３が上方を向くように配置される。これにより、クリップ１の１つの脚部２２に形成された一対の第１係止爪２３が野縁３の一対のリップ部１３と対向するようになる。クリップ１と野縁３との結合は、リップ部１３間を通過して脚部２２を野縁３の内部に挿入することによって行う。このとき、クリップ１は係止面３９において野縁受け４に引っ掛かっているため、野縁３に押圧されて上方へと野縁受け４から浮き上がることがない。
【００２６】
脚部２２の左右方向における幅は、一対のリップ部１３の対向する先端間の距離よりも小さくなっており、脚部２２はリップ部１３間を通過可能となっている。一方、１つの脚部２２に形成された一対の第１係止爪２３の爪部３２の突出端間の左右方向における幅は、一対のリップ部１３の対向する端部間の距離よりも大きくなっており、第１係止爪２３がリップ部１３間に挿入される際には爪部３２がリップ部１３の先端に当接する。
【００２７】
クリップ１の一対の脚部２２の下部を野縁３の内方に挿入する際には、最初に脚部２２がリップ部１３間を通過し、第１係止爪２３の爪部３２の下部がリップ部１３間を通過する。クリップ１の野縁３への挿入が進むと、各爪部３２の外面がリップ部１３の先端にそれぞれ当接する。その状態から更に挿入を進めると、リップ部１３の先端が爪部３２の外面を摺動しつつ爪部３２を押圧する。これにより、第１係止爪２３の片持ち片３１が弾性変形して傾動し、両爪部３２間の距離が小さくなってリップ部１３間を通過する。リップ部１３の先端が爪部３２の突出端を越えて係止面３３に当接するようになると、片持ち片３１が復元力によって初期位置に復帰しようとするため、リップ部１３の先端と係止面３３との当接状態が維持される。
【００２８】
図４に示すように、クリップ１の野縁３への挿入は、野縁３の上面（リップ部１３の上面）が野縁受け４の下壁部７の下面に当接した状態で完了する。このとき、クリップ１の一対の脚部２２の下端に設けられた全ての第１係止爪２３は係止面３３において野縁３のリップ部１３を係止している。
【００２９】
クリップ１の野縁３への挿入が完了した状態で、リップ部１３の先端は、係止面３３に当接している。係止面３３は、傾斜しているため下部がリップ部１３の下方に回り込むと共に、片持ち片３１の弾性力によってリップ部１３の先端に圧接し、リップ部１３の係止面３３に対する下方への移動を阻止する。係止面３３が傾斜し、上下方向に所定の範囲で延在しているため、リップ部１３は係止面３３に対してある程度の幅をもった範囲で当接することができる。そのため、クリップ１、野縁受け４及び野縁３に寸法誤差が生じていても、クリップ１は野縁受け４及び野縁３をがた付きなく結合することができる。
【００３０】
クリップ１と野縁３との結合を解除する場合には、一対の第１係止爪２３の先端部を摘み、互いに近接する方向に変位させる。これにより、第１係止爪２３が傾倒し、係止面３３がリップ部１３から離間してクリップ１の野縁３からの抜去が可能になる。
【００３１】
本実施形態に係るクリップ１は、頭部２１及び一対の脚部２２によって画成される空間に野縁受け４を受容し、第２係止爪２４でこの空間内に野縁受け４を係止することによって、野縁受け４と結合することができる。そのため、続いて行うクリップ１と野縁３との結合作業が容易になる。クリップ１は野縁受け４に支持されているため、野縁３をクリップ１に押し付けるだけで、野縁３とクリップ１との結合を形成することができる。
【００３２】
また、クリップ１は、野縁３の幅方向（左右方向）に進退可能な第１係止爪２３を有するため、クリップ１を野縁３に対して押し込む操作で両者を結合させることができる。第１係止爪２３は、側壁部９側に進むほど底壁部８側に進むように傾斜した係止面３３においてリップ部１３の先端を係止するため、係止面３３の長さに対応した所定の範囲でリップ部１３の先端を係止することができる。そのため、クリップ１、野縁３及び野縁受け４のいずれかに寸法誤差が生じていたとしても、各部材間にがた付きが生じないように係止面３３がリップ部１３の先端を係止することができる。
【００３３】
以上で具体的実施形態の説明を終えるが、本発明は上記実施形態に限定されることなく幅広く変形実施することができる。例えば、リップ部１３の形状は上記の実施例以外に様々な形状であってよい。例えば、リップ部１３は、側壁部９の上端から先端へとかけて、底壁部８と相反する側に凸となるように弧状に湾曲し、底壁部８側を向く部分に底壁部８と相反する側に窪んだリップ溝を形成してもよい。また、リップ部１３を平板状の板片とし、リップ溝を形成しないようにしてもよい。
【符号の説明】
【００３４】
１…クリップ、３…野縁、４…野縁受け、５…縦壁部、６…上壁部、７…下壁部、８…底壁部、９…側壁部、１３…リップ部、１４…リップ溝、２１…頭部、２２…脚部、２３…第１係止爪、２４…第２係止爪、３１…片持ち片、３２…爪部、３３…係止面、３５…開口、３６…片持ち片、３７…爪部、３８…傾斜面、３９…係止面
【図１】
2013155510.tif 000003
【図２】
2013155510.tif 000004
【図３】
2013155510.tif 000005
【図４】
2013155510.tif 000006